(57)【要約】【課題】通常の歩行をするときと健康の増進を図るべく爪先立ち歩行をするときとのいずれにも兼用でき、履き替えの面倒を無くすと共に余分な管理も必要なく、しかも、別途専用の健康履物を新たに用意する必要が無いことから、余分なコストも掛からず経済的である履物を提供することを目的とするものである。【解決手段】足裏全体が乗り可撓性を有する履物底台１内の土踏まず対応部位から後側を中空状に成形し、前記履物底台１の外周面に前記中空状部Ｓ１と連通し開閉手段１５により開閉する開口１６を設け、前記履物底台１とは別個に成形される踵受部１７を前記中空状部Ｓ１内に前記開口１６を介して出入自在に収納できるようにした。【選択図】  図３
2004194752.tif 000002
【特許請求の範囲】
【請求項１】
足裏全体が乗り可撓性を有する履物底台内の土踏まず対応部位から後側を中空状に成形し、前記履物底台の外周面に前記中空状部と連通し開閉手段により開閉する開口を設け、前記履物底台とは別個に成形される踵受部を前記中空状部内に前記開口を介して出入自在に収納できるようにしたことを特徴とする履物。
【請求項２】
足裏全体が乗る履物底台の土踏まず対応部位から後側の踵受部を該土踏まず対応部位で分離し、前記分離された踵受部を前記履物底台に接合手段により着脱自在に装着できるようにしたことを特徴とする履物。
【請求項３】
足裏全体が乗る履物底台内の土踏まず対応部位から後側に上面が開口する空洞部を成形し、前記履物底台とは別個に成形される踵受部を前記空洞部内に前記開口を介して出入自在に収納できるようにしたことを特徴とする履物。
【請求項４】
前記踵受部は、段階的に硬さを異ならせた複数種類のものから構成される請求項１又は２又は３記載の履物。
【発明の詳細な説明】
【０００１】
【発明の属する技術分野】
本発明は、通常の歩行をするときと健康の増進を図るべく爪先立ち歩行をするときとのいずれにも兼用できる履物に関するものである。
【０００２】
【従来の技術】
一般に、足の踵を浮かせて歩くと背筋が真直ぐになると共に腹部や足の筋肉が引き締められてシェイプアップができるなど健康に役立つことが知られている。そこで、例えばサンダルの踵部にあたる部分を無くし、常に爪先で全体重を支えるようにして歩くことができるようにした所謂健康サンダルが使用されている(例えば、特許文献１参照。)。
【０００３】
【特許文献１】
実開平５−６８３０２号公報（第２頁、図１）
【０００４】
【発明が解決しようとする課題】
しかしながら、爪先立ちの運動をするとき通常の履物から健康サンダルへ履き替え、運動をした後は再び通常の履物に履き替えることになるので、その履き替えが面倒である。また、健康サンダルは、通常の履物とは区別して保管しなければならないことから余分な管理が増え、しかも、使用しないで長く仕舞っておくと、使用したい場合に仕舞った場所を忘れてしまい、あちこちを探すなどして煩わしさを抱く場合がある。更には、健康サンダルを別個に購入して用意しなければならないことから、余分なコストも掛かり経済的でないという課題もある。
【０００５】
そこで、本発明は上記課題に鑑みてなされたもので、足の踵を乗せる踵受部を履物底台とは別個に成形し、その踵受部を履物底台に着脱自在に装着できるようにして、通常の歩行をするときと健康の増進を図るべく爪先立ち歩行をするときとのいずれにも兼用できるようにすることにより、履き替えの面倒を無くし、余分な管理も必要なく、しかも、別途専用の健康履物を新たに用意する必要が無いことから、余分なコストも掛からず経済的である履物を提供することを目的とするものである。
【０００６】
【課題を解決するための手段】
かかる目的を達成するため、本発明に係る履物は、足裏全体が乗り可撓性を有する履物底台内の土踏まず対応部位から後側を中空状に成形し、前記履物底台の外周面に前記中空状部と連通し開閉手段により開閉する開口を設け、前記履物底台とは別個に成形される踵受部を前記中空状部内に前記開口を介して出入自在に収納できるようにした構成からなる。本発明は、例えば、スリッパ、サンダル、スニーカー等の履物に適用される。
【０００７】
例えば、スリッパの場合、可撓性を有する履物底台内の土踏まず対応部位から後側を中空状に成形し、前記履物底台とは別個に成形される踵受部を前記中空状部内に開口を介して出入自在に収納できるようにした構成が採られる。そして、通常の歩行には、踵受部を収納して使用すれば、他の履物と何ら遜色なく違和感も無く使用できる。一方、爪先立ち歩行をするときは、前記踵受部を履物底台から取り外して使用する。この場合、土踏まずから後側の踵が履物底台の上面に乗らないことから、体が自然と前傾姿勢となり勢い爪先立ちが促される。これにより、背筋が真直ぐになり、腹部や足の筋肉が引き締められ、シェイプアップができるなど健康の増進が図られる。しかも、踵受部が中空状部に収納され覆い隠されて見栄えは通常のスリッパとほとんど変わらないことから、それと遜色なく使用できる。
【０００８】
また、足裏全体が乗る履物底台の土踏まず対応部位から後側の踵受部を該土踏まず対応部位で分離し、前記踵受部を前記履物底台に接合手段により着脱自在に装着できるようにした構成としても良い。この場合も、前記と同様に通常の歩行と爪先立ち歩行の兼用ができる。
【０００９】
例えば、スリッパの場合、履物底台から踵受部を分離し、この踵受部を前記履物底台に接合手段として例えば貼り合せファスナーにより着脱自在に装着できるようにした構成が採られる。
【００１０】
更に、足裏全体が乗る履物底台内の土踏まず対応部位から後側に上面が開口する空洞部を成形し、前記履物底台とは別個に成形される踵受部を前記空洞部内に前記開口を介して出入自在に収納できるようにした構成としても良い。
【００１１】
例えば、スニーカーの場合は、履物底台内の土踏まず対応部位から後側に上面が開口する空洞部を成形し、前記履物底台とは別個に成形される踵受部を前記空洞部内に前記開口を介して出入自在に収納できるようにした構成が採られる。この場合も、前記と同様に通常の歩行と爪先立ち歩行の兼用ができる。しかも、踵受部が空洞部に収納され覆い隠されて見栄えは通常のスリッパとほとんど変わらないことから、それと遜色なく使用できる。
【００１２】
前記いずれの場合も、踵受部にあっては、柔らかいものから硬いものへと段階的に硬さを異ならせた複数種類のものを用意しておけば、爪先立ちの途中で踵を下げ足を休ませるときに便利であって、履物を履く人の体力に応じ自分に合った踵受部を選択することにより、健康の維持・増進が無理なく行なえる。また、前記いずれの場合も、爪先立ちする関係上、履物底台の厚みは厚いほうが良い。
【００１３】
【発明の実施の形態】
以下、本発明に係る履物の実施の形態を図面に基づき説明する。図１は本発明に係るスリッパの斜視図、図２は同分解斜視図、図３は同通常の歩行に使用する状態を示す縦断面図である。このスリッパＡ１は、足Ｆを乗せる履物底台１と足Ｆの甲ｆ１を覆って保護する甲被覆部材２とから構成されている。また、前記履物底台１は、下側の底板部３の上面に敷板部４が貼り合わされ、更に、その敷板部４の上面に後記する天板１１を張り合わせて大略構成される。
【００１４】
前記底板部３は、発泡樹脂製のクッション材５と、この上面に接着により貼り合わされる板紙６と、周縁部を板紙６の上面に折り返すようにして前記クッション材５の下面に重合され、天然ゴムのラテックスにより接着して貼り合わされる合成樹脂製の底皮７と、前記板紙６の上面に接着して貼り合わされ比較的硬く弾力性、耐水性を有する厚紙製の中間板８と、により構成される。
【００１５】
敷板部４は、ウレタンにより成形され、その前後方向の長さが爪先から土踏まずに至る長さに設定される。また、その後端が所定の厚み（例えば約２ｃｍ）を有し一番高くなっており、上面は先端に向かうに従って緩やかに下傾している。土踏まずに対応する部位は、その内側に発泡樹脂製のクッション材９ａが接着剤により貼り合わされて隆起している。そして、前記底板部３、すなわち中間板８、上面の前側に敷板部４が発泡樹脂製のクッション材９ｂを介して接着剤により貼り合わされる。
【００１６】
前記敷板部４の後端は、その前後方向の長さが底板部３に対し短い関係上、所定高さの段部１０が横断状かつ一直線状に設けられる。これにより、前記段部１０を介してその後側が中空状に成形される。この中空状部Ｓ１には、後記する踵ｆ２を乗せる踵受部１７が出入自在に収納されることになる。
【００１７】
前記敷板部４の上面に、前記底板部３とほぼ同形状をなすゴム製の天板１１が接着剤により貼り合わされる。この天板１１は、敷板部４の後端縁から後方へ突出した部分もそのままほぼ水平な状態が維持されるようにしている。また、天板１１の上面には、足裏の壺が指圧できるように足裏の壺に合わせて上方へ突出する無数の突起１２が配設されている。
【００１８】
前記天板１１の上面および敷板部４の周側面は、クッション性、伸縮性を兼ね備えた合成繊維製の外装部材１３で被覆されている。また、天板１１側にあっては、この天板１１と外装部材１３とが一体に貼り合わされている。更に、踵ｆ２と対応する部位であって前記底板部３と天板１１との外周縁にも、それぞれ先端縁が所定間隔離し対向するようにしてクッション性、伸縮性を兼ね備えた合成繊維製の覆い片部１４が周設される。そして、前記上下の各覆い片部１４の対向端縁に開閉手段として互いに噛合する一対の合成樹脂製のスライドファスナー１５が取着され、把手１５ａを摘んでスライダー１５ｂをスライドさせることにより、その間の開口１６が開閉される。開口１６が閉じられたとき、中空状部Ｓ１は底板部３、天板１１および各覆い片部１４により覆い隠され、その内部を外部から見ることができないようになっている。
【００１９】
前記中空状部Ｓ１に、踵受部１７が出入自在に収納されるが、この踵受部１７は、前記中空状部Ｓ１とほぼ同じ大きさであって平面略半円形をなし、前記段部１０とほぼ同じ高さを有する板状に成形される。この場合、前記踵受部１７は、ウレタンにより成形されるが、軽量で弾力性の有る材質であれば、例えばゴムスポンジ、塩化ビニル、ＥＶＡで成形しても良い。また、前記開閉手段は、スライドファスナー１５に限定されるものではなく、貼り合せファスナーまたはボタンとフックの組み合せを使用するようにしても良い。更には、スライドファスナー１５などの開閉手段を使用することなく、単に踵受部１７を嵌め込み式に取付ける構成としても良い。
【００２０】
前記甲被覆部材２は、クッション性の有る発泡樹脂製の芯材１８を伸縮性の有る合成繊維製の被覆部材１９で挟み包むようにして成形され、敷板部４の周側面を外装部材１３で被覆するときに、同時にその両端部を前記敷板部４と天板１１との間に差し込み縫着して一体に取り付けられる。
【００２１】
本発明に係るスリッパＡ１は上記構成からなり、常には、図３に示すように中空状部Ｓ１に踵受部１７を収納し、スライドファスナー１５のスライダー１５ｂをスライドさせて開口１６を閉めておく。これにより、踵ｆ２は踵受部１７に受けられ足裏全体を履物底台１の上面に乗せることができる。そして、通常の歩行をするに際し、他の一般のスリッパと同様に使用することができる。
【００２２】
一方、踵を浮き上がらせて爪先立ち歩行の運動をするときは、前記スライドファスナー１５のスライダー１５ｂをスライドさせて開口１６を開け、図４に示すようにそこから踵受部１７を取り出し中空状部Ｓ１を空にした状態で、再び、開口１６を閉めておく。これにより、スリッパＡ１を履いたとき、踵ｆ２が天板１１を押し下げて中空状部Ｓ１内に嵌り込もうとするので、その反射運動として体が前傾姿勢を保とうとすることから、爪先立ちがし易くなる。そして、その姿勢を維持することにより背筋が真直ぐになると共に腹部や足の筋肉が引き締められてシェイプアップができるなど健康の増進を図ることができる。また、爪先立ち歩行の運動が終り元の通常の歩行に戻るときは、開口１６から中空状部Ｓ１内に踵受部１７を再び収納しておく。
【００２３】
このように、中空状部Ｓ１に踵受部１７を出入自在に収納することにより、一つのスリッパＡ１で通常の歩行をするときと健康の増進を図るべく爪先立ち歩行をするときとのいずれにも兼用できることになる。また、いずれの場合も、天板１１上面の複数の突起１２が足裏の壺を適度に刺激することになり、指圧効果も十分に得られ健康の増進に寄与できる。
【００２４】
前記踵受部１７は、硬さが段階的に異なる複数種類の踵受部を揃えておくことが好ましい。図示は省略するが、例えば踵ｆ２が容易に下がる程度に柔らかいスポンジ状のもの、または踵ｆ２が比較的ゆっくり下がる程度に硬いものが選ばれる。これらは、ウレタン、ゴムスポンジ、塩化ビニル、ＥＶＡから成形される。これは、老若、男女によって脚力の強さがそれぞれ異なっていることから、例えば、脚力が比較的弱く長い時間爪先立ちを維持できない女性は、前記硬い踵受部を使用する。そして、疲れた場合に、踵ｆ２をその踵受部の上面に乗せて休むようにする。逆に、脚力が比較的強く長い時間爪先立ちを維持できる男性は、前記柔らかい踵受部を使用し、疲れた場合に、踵ｆ２をその踵受部の上面に乗せて休むようにする。
【００２５】
また、前記したように中空状部Ｓ１は、上下に位置する底板部３、天板１１及び両覆い片部１４によりその周囲全体を覆われることから、中空状部Ｓ１または踵受部１７の存在は外部からまったく解らない。このため、外観上、通常の歩行に使用するスリッパと何ら変るところがなく、見栄えを損なうことはない。
【００２６】
図５、図６は他の実施の形態に係るスリッパＡ２を示すもので、図５は通常の歩行に使用する状態を示すスリッパの斜視図、図６は爪先立ち歩行に使用する状態を示すスリッパの斜視図である。このスリッパＡ２は、前記スリッパＡ１と構成が類似しており、材質も同一部位は同じであることから、同一部位は同一番号を付すことにより、詳しい説明は省略する。
【００２７】
すなわち、底板部３と敷板部４は同じ大きさからなり、一体に成形された履物底台１ａの土踏まず対応部位から後側の踵受部１７ａが該土踏まず対応部位で分離されている。そして、対向する前側の履物底台１ａの後端面２０と踵受部１７ａの前端面２１は、いずれも外装部材１３により覆われ、おのおのの面２０，２１に接合手段として互いに係合し得る雄型の貼り合せファスナー２２と雌型の貼り合せファスナー２３が取り付けられている。
【００２８】
そして、常には、図５に示すように雄雌貼り合せファスナー２２，２３を係合させて貼り合せ、前側の履物底台１ａに踵受部１７ａを一体に接合させておく。これにより、踵ｆ２は踵受部１７ａに受けられることとなり、足裏全体を履物底台１ａの上面に乗せて通常の歩行をすることができる。一方、爪先立ち歩行の運動をするときは、前記雄雌貼り合せファスナー２２，２３の係合を解き踵受部１７ａを取り外して使用する。これによっても、前記スリッパＡ１と同様に爪先立ちの姿勢を維持することにより、背筋が真直ぐになると共に腹部や足の筋肉が引き締められてシェイプアップができるなど健康の増進を図ることができる。また、爪先立ち歩行の運動が終り元の通常の歩行に戻るときは、再び雄雌貼り合せファスナー２２，２３を貼り合せて係合させ、履物底台１ａに踵受部１７ａを一体に接合させておく。この構成によれば、踵受部１７ａの着脱が非常に簡単となり、取扱いが極めて容易になる。
【００２９】
図７、図８は、本発明をスニーカーに適用した形態を示すもので、図７は通常の歩行に使用する状態を示すスニーカーの断面図、図８は爪先立ち歩行に使用する状態を示すスニーカーの断面図である。このスニーカーＢは、足を乗せる履物底台２４と足の周囲を覆って保護する周囲被覆部材２５とから構成されている。前記履物底台２４は、ゴム製であって下面に滑り止め用の凹凸部２６を設けた下側の底板部２７と、その上面に接着剤により貼り合わされるクッション性を有した敷板部２８とからなる。敷板部２８は、その前後方向の長さが爪先から土踏まずに至る長さに設定され、上面は先端に向かうに従って緩やかに下傾している。そして、敷板部２８が底板部２７上面の前側に接着剤により貼り合わされる。
【００３０】
前記敷板部２８の土踏まず対応部位には、所定高さの段部２９が横断状かつ一直線状に設けられる。これにより、前記段部２９を介してその後側に上面が開口３０する空洞部Ｓ２が成形される。そして、この空洞部Ｓ２に踵ｆ２を乗せる踵受部３１が出入自在に収納されることになる。前記踵受部３１は、空洞部Ｓ２とほぼ同じ大きさ、かつ、前記段部２９とほぼ同じ高さを有し、平面略半円形をなす板状に成形されている。また、踵受部３１は、ウレタンにより成形されるが、軽量で弾力性の有る材質であれば、例えばゴムスポンジ、塩化ビニル、ＥＶＡであっても良い。
【００３１】
前記周囲被覆部材２５は、履物底台２４の上面に乗せた足Ｆの爪先ｆ３から踵ｆ２までの周囲全体を覆い、足Ｆを抜き差しする通口３２を開設して成形されている。そして、周囲被覆部材２５は、底板部２７の上面に敷板部２８を接着剤により貼り合わせるときに、同時に周縁部を前記底板部２７と敷板部２８との間に差し込み、接着剤により接着して一体に成形される。空洞部Ｓ２の周囲にあっては、前記周縁部が底板部２７に直接接着される。
【００３２】
そして、通常の歩行をするときは、上面の通口３２から空洞部Ｓ２に踵受部３１を収納する。これにより、踵Ｆは踵受部３１の上面に受けられて足裏全体を乗せることができる。一方、爪先立ち歩行をするときは、前記踵受部３１を取り出し空洞部Ｓ２を空にして使用する。これによって、前記と同様に健康の増進が図られる。前記踵受部３１も前記したように、硬さが段階的に異なる複数種類のものを揃えておくことが好ましい。また、この場合も、前記空洞部Ｓ２がその周囲を周囲被覆部材２５により覆われていることから、空洞部Ｓ２および踵受部３１の存在はまったく解らず、このため、外観上、通常の歩行に使用するスニーカーと何ら変るところがなく、見栄えを損なうこともない。
【００３３】
【発明の効果】
以上説明したように、本発明に係る履物は、踵受部を履物底台とは別個に成形し、その踵受部を履物底台に出入自在に収納または着脱自在に装着できるようにしたので、通常の歩行をするときと健康の増進を図るべく爪先立ち歩行をするときとのいずれにも兼用できるようになり、履き替えの面倒がなくなるばかりか余分な管理も必要なく、しかも、別途専用の健康履物を新たに用意する必要が無いことから、余分なコストも掛からず経済的であるという効果を有する。
【００３４】
また、請求項１，３記載の発明は、中空状部または空洞部の周囲が覆われることから、中空状部、空洞部または踵受部の存在がまったく解らず、このため、外観上、通常の歩行に使用する履物と何ら変るところがなく、見栄えを損なうようなこともないという効果がある。
【００３５】
請求項４記載の発明のように、硬さが段階的に異なる複数種類の踵受部を揃えておくようにすれば、例えば、体力が比較的弱く長い時間爪先立ちを維持できない女性は、比較的固い踵受部を選び、疲れた場合に踵をその踵受部の上面に乗せて休むようにし、逆に、体力が比較的強く長い時間爪先立ちを維持できる男性は、非常に柔らかい踵受部を選び、疲れた場合に踵をその踵受部の上面に乗せて休むようにするなど、使用者の体力に合わせて適当な踵受部が選択でき都合が良く、これにより健康の維持・増進が無理なく行なえるという効果が有る。
【図面の簡単な説明】
【図１】本発明に係るスリッパの斜視図。
【図２】同分解斜視図。
【図３】同通常の歩行に使用する状態を示すスリッパの縦断面図。
【図４】同爪先立ち歩行に使用する状態を示すスリッパの縦断面図。
【図５】通常の歩行に使用する状態を示す他のスリッパの斜視図。
【図６】爪先立ち歩行に使用する状態を示す他のスリッパの斜視図。
【図７】通常の歩行に使用する状態を示すスニーカーの断面図。
【図８】爪先立ち歩行に使用する状態を示すスニーカーの断面図。
【符号の説明】
１                履物底台
１ａ              履物底台
１５              開閉手段（スライドファスナー）
１６              開口
１７              踵受部
１７ａ            踵受部
２４              履物底台
３０              開口
３１              踵受部
Ａ１              履物（スリッパ）
Ａ２              履物（スリッパ）
Ｂ                履物（スニーカー）
Ｆ                足
ｆ２              踵
Ｓ１              中空状部
Ｓ２              空洞部
【図１】
2004194752.tif 000003
【図２】
2004194752.tif 000004
【図３】
2004194752.tif 000005
【図４】
2004194752.tif 000006
【図５】
2004194752.tif 000007
【図６】
2004194752.tif 000008
【図７】
2004194752.tif 000009
【図８】
2004194752.tif 000010